(57)【要約】      （修正有）【課題】ウェーブレット変換を応用してテキスト部分を識別してテキストの周辺に電子透かし情報を埋込まない設定を行うことで、テキストデータへの電子透かし情報の埋込みを実現し、また、これを検出することで複製されたときのオリジナル印刷物との照合を行うことができる。【解決手段】テキストデータに電子透かし情報を埋め込んで電子透かし埋込み済み画像を生成し、印刷を行う印刷対応電子透かし埋込み装置であって、前記印刷されるテキストデータを画像データに変換する画像データ変換部と、前記画像データからテキスト部分を識別し、当該テキスト部分近傍に電子透かしを埋め込まないように設定する電子透かし埋込み設定部４４と、前記電子透かし埋込み設定部に設定された内容に基づき、前記印刷されるテキストデータに電子透かしを埋込んで電子透かし埋込み済み画像を生成する電子透かし埋込み部４３と、を備えた印刷対応電子透かし埋込み装置。【選択図】図４
2010206466.tif 000002
【特許請求の範囲】
【請求項１】
テキストデータに電子透かし情報を埋め込んで電子透かし埋込み済み画像を生成し、印刷を行う印刷対応電子透かし埋込み装置であって、
前記印刷されるテキストデータを画像データに変換する画像データ変換部と、
前記画像データからテキスト部分を識別し、当該テキスト部分近傍に電子透かしを埋め込まないように設定する電子透かし埋込み設定部と、
前記電子透かし埋込み設定部に設定された内容に基づき、前記印刷されるテキストデータに電子透かしを埋込んで電子透かし埋込み済み画像を生成する電子透かし埋込み部と、
を備えたことを特徴とする印刷対応電子透かし埋込み装置。
【請求項２】
前記電子透かし埋込み済み画像を基に印刷を行い、印刷物を生成する電子透かし埋込み済み画像印刷部を備えたことを特徴とする請求項１に記載の印刷対応電子透かし埋込み装置。
【請求項３】
前記電子透かし埋込み設定部は、
対象画素を順次移動しながら前記対象画素の２画素平方における画素値の変化度合を算出し、前記変化の度合を示す閾値と比較して前記テキスト部分の輪郭を抽出し、前記対象画素に電子透かしを埋込むか否かを設定することを特徴とする請求項１または請求項２に記載の印刷対応電子透かし埋込み装置。
【請求項４】
前記電子透かし埋込み設定部は、
対象画素を順次移動しながら前記対象画素に隣接する周囲ｎ画素の画素値の変化度合を算出し、前記変化の度合を示す閾値と比較して前記対象画素に電子透かしを埋込むか否かを設定することを特徴とする請求項１または請求項２に記載の印刷対応電子透かし埋込み装置。
【請求項５】
前記電子透かし埋込み時に保存される電子透かし情報、および前記電子透かし埋込み設定部により設定される電子透かし埋込み設定情報に基づき、前記電子透かし埋込み済み画像から電子透かし情報を検出する電子透かし検出部と、
を備えたことを特徴とする請求項１から４のいずれか１項に記載の印刷対応電子透かし埋込み装置。
【請求項６】
テキストデータに電子透かし情報を埋め込んで電子透かし埋込み済み画像を生成し、印刷を行う印刷対応電子透かし埋込み方法であって、
前記印刷されるテキストデータを画像データに変換するステップと、
前記画像データからテキスト部分を識別し、当該テキスト部分近傍に電子透かしを埋め込まないように設定するステップと、
前記設定に基づき、前記印刷されるテキストデータに電子透かしを埋込んで電子透かし埋込み済み画像を生成するステップと、
を有することを特徴とする印刷対応電子透かし埋込み方法。
【請求項７】
前記電子透かし埋込み済み画像を基に印刷を行い、印刷物を生成するステップを有することを特徴とする請求項６に記載の印刷対応電子透かし埋込み方法。
【請求項８】
テキストデータに電子透かし情報を埋め込んで電子透かし埋込み済み画像を生成し、印刷を行う印刷対応電子透かし埋込み装置に用いられるプログラムであって、
前記印刷されるテキストデータを画像データに変換する処理と、
前記画像データからテキスト部分を識別し、当該テキスト部分近傍に電子透かしを埋め込まないように設定する処理と、
前記電子透かし埋込み設定部に設定された内容に基づき、前記印刷されるテキストデータに電子透かしを埋込んで電子透かし埋込み済み画像を生成する処理と、
をコンピュータに実行させることを特徴とする印刷対応電子透かし埋込みプログラム。
【発明の詳細な説明】
【技術分野】
【０００１】
本発明は、テキストデータに対し電子透かし情報を埋め込んで電子透かし埋込み済み画像を生成し、印刷を行う、印刷対応電子透かし埋込み装置およびその方法ならびにプログラムに関する。
【背景技術】
【０００２】
画像や音声などのデジタルコンテンツに他の情報を隠し持たせることができる「電子透かし」技術が存在する。図８にその概要が示されている。
すなわち、「電子透かし」とは、画像データや音声データなどのデジタルコンテンツに他の情報を埋込み、不可視もしくは不可聴の状態で隠し持たせる技術である。特徴としては、コンテンツの中に別の情報（電子透かし情報）を埋め込むことができ、電子透かし情報はコンテンツを加工（圧縮・切り抜き・拡大・縮小） しても消すことができないことにある。また、コンテンツの品質を保ったまま第三者が電子透かし情報を除去することは困難であり、電子透かし情報の入ったコンテンツを不正にＷｅｂ（Ｗｏｒｌｄ  Ｗｉｄｅ
Ｗｅｂ）上で公開するとパトロールシステムによって検知、警告される。
【０００３】
一方、上記した「電子透かし」技術を印刷物に応用した印刷対応電子透かし技術が存在する。図９に、電子透かし入り印刷物製作方法とその検出方法が示されている。
すなわち、デジタル製版工程で処理される画像情報を印刷物になったときに肉眼では認識できない形で変更し、電子透かし用の識別情報を埋め込む。絵柄や色など印刷物の仕上がりにはほとんど影響がなく、人間の肉眼ではその違いが認識できない。この印刷物に関しスキャナなどを用いて再びデジタル化し専用のソフトウェアに入力すると、埋め込まれた電子透かし情報を検出することが可能となる（例えば、特許文献１ 参照） 。
【先行技術文献】
【特許文献】
【０００４】
【特許文献１】特開２００２−６４７００号公報（段落０００２〜段落０００４）
【発明の概要】
【発明が解決しようとする課題】
【０００５】
上記したように、デジタル製版工程で得られる画像に対し肉眼では認識しずらい形で電子透かし情報が埋め込まれる。絵柄や色など印刷物の仕上がりにはほとんど影響がなく、人間の肉眼ではその違いが認識できない。しかしながら、この印刷物に関し、スキャナなどを用いて再びデジタル化し専用のソフトウェアに入力すると、埋め込まれた電子透かし情報を検出することが可能となる。
一方、図１０に示されるように、画像を含まない文字等のテキストデータに対しては、従来、電子透かし情報を埋め込むことができなかった。仮りにできたとしても、電子透かし埋込み時に用いるウェーブレット変換の特性により、テキスト自体が読みにくくなり、印刷品質が落ちる。すなわち、ウェーブレット変換により画素の変化が急峻な箇所に電子透かし情報が強く埋め込まれるため、テキストの境界部分に電子透かし情報が縞模様となって出現し、テキストの判別を困難にしてしまう。
【０００６】
本発明は上記事情に鑑みてなされたものであり、ウェーブレット変換を応用してテキスト部分を識別してテキストの周辺に電子透かし情報を埋込まない設定を行うことで、テキストデータへの電子透かし情報の埋込みを実現し、また、これを検出することで複製されたときのオリジナル印刷物との照合を行うことができることを課題とする。
【課題を解決するための手段】
【０００７】
上記した課題を解決するために、まず請求項１の発明では、テキストデータに電子透かし情報を埋め込んで電子透かし埋込み済み画像を生成し、印刷を行う印刷対応電子透かし埋込み装置であって、
前記印刷されるテキストデータを画像データに変換する画像データ変換部と、
前記画像データからテキスト部分を識別し、当該テキスト部分近傍に電子透かしを埋め込まないように設定する電子透かし埋込み設定部と、
前記電子透かし埋込み設定部に設定された内容に基づき、前記印刷されるテキストデータに電子透かしを埋込んで電子透かし埋込み済み画像を生成する電子透かし埋込み部と、
を備えたことを特徴とする印刷対応電子透かし埋込み装置としたものである。
【０００８】
また請求項２の発明では、前記電子透かし埋込み済み画像を基に印刷を行い、印刷物を生成する電子透かし埋込み済み画像印刷部を備えたことを特徴とする請求項１に記載の印刷対応電子透かし埋込み装置としたものである。
【０００９】
また請求項３の発明では、前記電子透かし埋込み設定部は、
対象画素を順次移動しながら前記対象画素の２画素平方における画素値の変化度合を算出し、前記変化の度合を示す閾値と比較して前記テキスト部分の輪郭を抽出し、前記対象画素に電子透かしを埋込むか否かを設定することを特徴とする請求項１または請求項２に記載の印刷対応電子透かし埋込み装置としたものである。
【００１０】
また請求項４の発明では、前記電子透かし埋込み設定部は、
対象画素を順次移動しながら前記対象画素に隣接する周囲ｎ画素の画素値の変化度合を算出し、前記変化の度合を示す閾値と比較して前記対象画素に電子透かしを埋込むか否かを設定することを特徴とする請求項１または請求項２に記載の印刷対応電子透かし埋込み装置としたものである。
【００１１】
また請求項５の発明では、前記電子透かし埋込み時に保存される電子透かし情報、および前記電子透かし埋込み設定部により設定される電子透かし埋込み設定情報に基づき、前記電子透かし埋込み済み画像から電子透かし情報を検出する電子透かし検出部と、
を備えたことを特徴とする請求項１から４のいずれか１項に記載の印刷対応電子透かし埋込み装置としたものである。
【００１２】
また請求項６の発明では、テキストデータに電子透かし情報を埋め込んで電子透かし埋込み済み画像を生成し、印刷を行う印刷対応電子透かし埋込み方法であって、
前記印刷されるテキストデータを画像データに変換するステップと、
前記画像データからテキスト部分を識別し、当該テキスト部分近傍に電子透かしを埋め込まないように設定するステップと、
前記設定に基づき、前記印刷されるテキストデータに電子透かしを埋込んで電子透かし埋込み済み画像を生成するステップと、
を有することを特徴とする印刷対応電子透かし埋込み方法としたものである。
【００１３】
また請求項７の発明では、前記電子透かし埋込み済み画像を基に印刷を行い、印刷物を生成するステップを有することを特徴とする請求項６に記載の印刷対応電子透かし埋込み方法としたものである。
【００１４】
また請求項８の発明では、テキストデータに電子透かし情報を埋め込んで電子透かし埋込み済み画像を生成し、印刷を行う印刷対応電子透かし埋込み装置に用いられるプログラムであって、
前記印刷されるテキストデータを画像データに変換する処理と、
前記画像データからテキスト部分を識別し、当該テキスト部分近傍に電子透かしを埋め込まないように設定する処理と、
前記電子透かし埋込み設定部に設定された内容に基づき、前記印刷されるテキストデータに電子透かしを埋込んで電子透かし埋込み済み画像を生成する処理と、
をコンピュータに実行させることを特徴とする印刷対応電子透かし埋込みプログラムとしたものである。
【発明の効果】
【００１５】
本発明によれば、ウェーブレット変換を応用してテキスト部分を識別し、テキスト部分近傍に電子透かし情報を埋込まない設定を行い、当該設定に従いテキストデータへの電子透かし情報の埋込みを実現することで、ノイズの影響を受けることなくテキストの判別が容易となり、また、その印刷物を提供することができる。
また、対象画素の２画素平方における画素値の変化度合を算出し、テキスト部分の輪郭を抽出して対象画素に電子透かしを埋込むか否かを設定することで輪郭部分に電子透かしを埋め込まないようにコントロールが可能となり、このことにより、テキストの判別を容易にすることができる。また、対象画素に隣接する周囲ｎ画素の画素値の変化度合を算出して対象画素に電子透かしを埋込むか否かを設定することで、更に、テキストの周辺にも電子透かしを埋め込むか否かの判断を適用する場合には周囲の画素についても変化度合を算出することで、テキストの判別を一層容易化できる印刷物の提供が可能となる。
【００１６】
また、電子透かし埋込み時に保存される電子透かし情報、および電子透かし埋込み設定情報に基づき、電子透かし埋込み済み画像から電子透かし情報を検出することで、オリジナルの印刷物がいつ、どの印刷機によって印刷されたものか等の判定が可能となり、また、複製しても電子透かしが残るような設定を行うことで、オリジナルの印刷物を複製した場合にもオリジナル印刷物との照合が可能になる。
【図面の簡単な説明】
【００１７】
【図１】本発明の印刷物対応電子透かし埋込み方法を説明するために引用した図である。
【図２】本発明実施形態における電子透かし埋込み設定の詳細を説明するために引用した図である。
【図３】図２で示した電子透かし埋込み設定に従い、どの画素に対して電子透かし情報を埋め込むかを説明するために引用した図である。
【図４】本発明の印刷対応電子透かし埋込み装置の一実施形態を示すブロック図である。
【図５】図４に示す電子透かし埋込み設定部の一実施形態を示すブロック図である。
【図６】本発明の電子透かし埋込み装置による電子透かし情報埋込みの詳細手順を示す図である。
【図７】本発明の印刷対応電子透かし埋込み装置の動作をフローチャートで示した図である。
【図８】「電子透かし技術」について説明するために引用した図である。
【図９】従来の電子透かし埋込み装置を説明するために引用した図である。
【図１０】従来の印刷対応電子透かし埋込み装置を説明するために引用した図である。
【発明を実施するための形態】
【００１８】
図１は、本発明の印刷物対応電子透かし埋込み方法を説明するために引用した図である。概略流れを説明すれば以下のようになる。
まず、印刷されるテキストデータを画像データに変換し、次に、変換して得られる画像データからテキスト部分を識別する。テキスト部分の識別は、後述するように、例えば輪郭を抽出することにより行う。そして、識別されたテキスト部分近傍に電子透かしを埋め込まない設定を行い、当該設定に基づき、テキスト対応電子透かし埋込み装置を用い、印刷されるテキストデータに電子透かしを埋込んで電子透かし埋込み済み画像を生成する。
また、電子透かし情報としては、データ作成日、印刷日、内容概略、作成者、出力（印刷）機器等が考えられる。最後に、電子透かし埋込み済み画像を基に印刷を行い、印刷物を生成する。
【００１９】
図２は、上記した電子透かし埋込み設定の詳細を説明するために引用した図である。ここでは、以下の（１）〜（４）に示す演算式を用いて２画素平方の画像値の変化度合（Ｃ_ｗａｖ）を算出し、対象画素ａに電子透かし情報を埋め込むか否かを判断することとした（図２（ａ））。テキストデータの場合、画素値の変化度合が大きい個所は文字の輪郭部分であると考えられる。そのため、Ｃ_ｗａｖの値が閾値以上の場合、その個所は文字の輪郭部分であるとの判断が可能であり、この場合、電子透かし情報を埋め込まないと設定する。
ここでは閾値を仮に“１０”とし、この値より大きな場合、対象画素となるａには電子透かし情報を埋め込まないこととする。
（１）  ＨＬ＝（ａ−ｂ＋ｃ−ｄ）／４
（２）  ＨＨ＝（ａ−ｂ−ｃ＋ｄ）／４
（３）  ＬＨ＝（ａ＋ｂ−ｃ−ｄ）／４
（４）  Ｃ_ｗａｖ＝ｓｑｒｔ（ＨＬ∧２＋ＨＨ∧２＋ＬＨ∧２）／３
但し、ここで、ＨＬ、ＨＨ、ＬＨはウェーブレット変換式で用いられる係数、Ｃ_ｗａｖは画素値の変化度合である。また、∧はべき乗の表記である。
【００２０】
上記の場合、対象画素が輪郭部分であるか否かにより電子透かし情報埋込みの判断を行ったが、文字の周囲にも透かしを埋め込むか否かの判断を適応したい場合には、周囲の画素についても上記した演算式（１）〜（４）を用いて変化度合を算出し、その画素に電子透かし情報を埋め込むか否かの判断に用いることができる。
図２（ｂ）は、対象画素ｅについて、周囲３画素の画素値の変化度合から画素ｅに電子透かし情報を埋め込むか否かを判断する例である。
【００２１】
図３は、図２で示した電子透かし埋込み設定に従い、どの画素に対して電子透かし情報を埋め込むかを説明するために引用した図である。
図３（ａ）に、電子透かし情報を埋込む画素の判定結果が示されており、ここでは、電子透かし情報を埋め込む個所と埋め込まない個所をそれぞれ○×で示してある。また、図３（ｂ）には、画素値の変化度合が低い個所には電子透かし情報を埋込み、画素値の変化度合が高い個所には電子透かし情報を埋込まないことが示されている。
また、図３は、画素を一番上の行、左端から右端へ、それが終了すると、一つ下の行に移動し、また左端から右端へと順に操作する手順をとった場合の結果となっているが，これを，画素の一番下の行、右端から左端へ、それが終了すると、一つ上の行に移動し、また、右端から左端へと順に、若しくは、画素の一番左の列、上端から下端へ、それが終了すると、一つ右の列に移動し、また、上端から下端へと順に、若しくは、画素の一番右の列、下端から上端へ、それが終了すると、一つ左の列に移動し、また、下端から上端へと
順に、操作しても良い．
さらに、それぞれで透かしを埋め込まない判定結果が異なるため、それらを透かしを埋め込まない箇所について論理和を行い、電子透かしを埋め込まない箇所を増やすことにより、より効果的に文字領域の判定が行なえる。
【００２２】
図４は、本発明の印刷対応電子透かし埋込み装置の一実施形態を示すブロック図である。本発明の印刷対応電子透かし埋込み装置は、テキストデータ記憶部４１と、画像データ変換部４２と、電子透かし埋込み部４３と、電子透かし埋込み設定部４４と、画像データ記憶部４５と、電子透かし埋込み済み画像印刷部４６と、電子透かし検出部４７と、真贋結果出力部４８で構成される。
テキストデータ記憶部４１には、電子透かし情報の埋込み対象となるテキストデータが格納される。画像データ変換部４２は、テキストデータ記憶部４１から読み出されるテキストデータを画像データに変換して電子透かし埋込み部４３に供給する。電子透かし埋込み部４３は、電子透かし埋込み設定部４４により設定された内容に基づき、印刷されるテキストデータに電子透かしを埋込んで電子透かし埋込み済み画像を生成して画像データ記憶部４５に格納する。電子透かし情報の埋込み方法については図６を用いて後述する。
【００２３】
電子透かし埋込み設定部４４は、画像データ変換部４２によって出力される画像データからテキスト部分を識別し、当該テキスト部分近傍に電子透かし情報を埋め込まない設定を行う。
具体的に、図２（ａ）に示されるように、対象画素を順次移動しながら対象画素の２画素平方における画素値の変化度合を算出し、変化の度合を示す閾値と比較してテキスト部分の輪郭を抽出し、対象画素に電子透かしを埋込むか否かを設定する。あるいは、対象画素を順次移動しながら対象画素に隣接する周囲ｎ画素の画素値の変化度合を算出し、変化の度合を示す閾値と比較して対象画素に電子透かしを埋込むか否かを設定する。内部構成等詳細は図５に示されている。
【００２４】
図５おいて、電子透かし埋込み設定部４４は、未判定画素入力部４４１と、比較画素入力部４４２と、閾値ＤＢ４４３と、比較演算部４４４と、輪郭判定部４４５で構成される。
未判定画素入力部４４１は、設定時、順次移動される対象画素を取り込み、比較演算部４４４の一方の入力端子に供給する。また、比較演算部４４４の他方の入力端子には移動の都度比較画素入力部４４２によって取込まれる周辺画素値が入力され、比較演算部４４４は、両入力値を比較してその結果を輪郭判定部４４５へ供給する。輪郭判定部４４５は、比較演算部４４４による比較結果を得て輪郭判定を行い、閾値ＤＢ４４３に格納された変化の度合を示す閾値と比較して対象画素に電子透かしを埋込むか否かを設定する。
【００２５】
説明を図４に戻す。電子透かし埋込み済み画像印刷部４６は、電子透かし埋込み済み画像を基に印刷を行い、印刷物を出力する。
また、電子透かし検出部４７は、電子透かし埋込み時に保存される電子透かし情報、および電子透かし埋込み設定部４４により設定される電子透かし埋込み設定情報に基づき、電子透かし埋込み済み画像から電子透かし情報を検出して真贋結果出力部４７へ供給する。真贋結果出力部４７は、電子透かし検出部４７による電子透かし情報に基づき正規品であるか複製品であるかの判定を行う。
【００２６】
図６に、本発明の電子透かし埋込み装置による電子透かし情報埋込みの詳細手順が示されている。
図６において、符号４３４は原画像データである。この原画像データ４３４をフーリエ変換（４３５）することにより、振幅情報４３８および位相情報４３９を得ることができる。符号４３１は、原画像データ４３４に埋め込む電子透かし情報である。この電子透か
し情報４３１をスペクトル拡散（４４３）することによって拡散された電子透かし情報が得られる。次に、拡散された電子透かし情報を振幅情報４３８に合成する（４４５）。さらに、合成した振幅情報と位相情報４３９を用いて逆フーリエ変換（４４４）を実行し、このことにより電子透かし情報を合成した画像データが得られる。
【００２７】
一方、電子透かし情報の合成によるノイズを画像の局所的な特徴に合わせることでノイズを低減させるために、原画像データ４３４をウェーブレット変換し（４４０）、原画像データ４３４はサブバンド画像に分解され、互いに直交する部分画像で表わされる。そして、この部分画像を基に原画像４３４と同じ大きさのエネルギーマップデータを得る（４４１：高周波エネルギー算出）。
次に、先に逆フーリエ変換（４４４） の処理によって得られた電子透かし情報を合成した画像と原画像データ４３４との差分を求める（４４７）。更に、上記したエネルギーマップデータ重みマスク作成（４４２）の処理を行い、再度、電子透かし情報を原画像データ４３４に合成する（４４８、４４９）。このようにして、電子透かし埋込み済み画像データが得られ、出力画像記憶部５４に格納される。
【００２８】
なお、上記のように埋込まれた電子透かし情報を検出する場合は以下の手順に従う。つまり、電子透かし検出対象となる電子透かし埋込み済み画像データは、例えば、印刷物をスキャナなどでスキャンすることによって得られたデジタルデータである。電子透かし埋込み済み画像データを離散フーリエ変換（図示せず）することにより、同画像データの振幅情報が得られる。一方、擬似乱数系列を基に、シンボル値検出用系列が得られる。次に、上記した振幅情報とシンボル値検出用系列とを基に、シンボルレスポンス値を算出する処理を行い、シンボル値検出を行う。このように得られたシンボル値に対して、基数変換を行い、検出された電子透かし情報を得る。
【００２９】
図７に、本発明の印刷対応電子透かし埋込み装置の動作がフローチャートで示されている。以下、図７に示すフローチャートを参照しながら、図５、図６に示す本発明の印刷対応電子透かし埋込み装置の動作について詳細に説明する。
まず、電子透かし埋込み設定部４４は、対象画素値の変化度合を算出する（Ｓ７１）。具体的には、未判定入力部４４１によって取込まれる未判定画素と、比較画素入力部４４２によって取込まれる周辺画素のそれぞれとを比較演算部４４４で順次変化度合演算を行う。また、閾値ＤＢ４４３に格納されてある閾値と比較し（Ｓ７２）、その結果に基づき輪郭判定部４４５による輪郭判定を行う。ここで、閾値の方が変化度合より小さい場合に電子透かしを埋め込まず（Ｓ７３）、反対に大きい場合に電子透かしを埋め込む（Ｓ７４）。
上記した動作はテキストデータ記憶部４１に格納されたテキスト文書を構成する頁の全画素分繰り返され、未判定画素が存在する場合は（Ｓ７５）、未判定画素入力部４４１が次の対象画素を取込んで対象画素とし（Ｓ７６）、比較対象画素入力部４４２がその周辺画素を取込んで変化度合と閾値の比較演算が行われる。
【００３０】
以上説明のように本発明は、ウェーブレット変換を応用してテキスト部分を識別してテキストの周辺に電子透かし情報を埋込まない設定を行うことで、テキストデータへの電子透かし情報の埋込みを実現し、また、これを検出することで複製されたときのオリジナル印刷物との照合を行うことができる。
このことにより、ウェーブレット変換を応用してテキスト部分を識別し、テキスト部分近傍に電子透かし情報を埋込まない設定を行い、当該設定に従いテキストデータへの電子透かし情報の埋込みを実現することで、ノイズの影響を受けることなくテキストの判別が容易な印刷物を提供する。また、対象画素の２画素平方における画素値の変化度合を算出し、テキスト部分の輪郭を抽出して対象画素に電子透かしを埋込むか否かを設定することで輪郭部分に電子透かしを埋め込まないようにコントロールが可能とる。更に、対象画素
に隣接する周囲ｎ画素の画素値の変化度合を算出して対象画素に電子透かしを埋込むか否かを設定することで、また、テキストの周辺にも電子透かしを埋め込むか否かの判断を適用する場合には周囲の画素についても変化度合を算出することで、テキストの判別を一層容易化できる印刷物の提供が可能となる。
【００３１】
なお、電子透かし埋込み時に保存される電子透かし情報、および電子透かし埋込み設定情報に基づき、電子透かし埋込み済み画像から電子透かし情報を検出することで、オリジナルの印刷物がいつ、どの印刷機によって印刷されたものか等の判定が可能となり、また、複製しても電子透かしが残るような設定を行うことで、オリジナルの印刷物を複製した場合にもオリジナル印刷物との照合が可能になる。
また、図４に示すテキストデータ記憶部４１、画像データ変換部４２、電子透かし埋込み部４３、電子透かし埋込み設定部４４、画像データ記憶部４５、電子透かし埋込み済み画像印刷部４６、電子透かし検出部４７、真贋結果出力部４８のそれぞれで実行される手順をコンピュータ読み取り可能な記録媒体に記録し、この記録媒体に記録されたプログラムをコンピュータシステムに読み込ませ、実行することによっても本発明を実現することができる。ここでいうコンピュータシステムとは、ＯＳや周辺機器等のハードウェアを含む。
【００３２】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３３】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００３４】
４１…テキストデータ記憶部
４２…画像データ変換部
４３…電子透かし埋込み部
４４…電子透かし埋込み設定部
４５…画像データ記憶部
４６…電子透かし埋込み済み画像印刷部
４７…電子透かし検出部
４８…真贋結果出力部
【図１】
2010206466.tif 000003
【図２】
2010206466.tif 000004
【図３】
2010206466.tif 000005
【図４】
2010206466.tif 000006
【図５】
2010206466.tif 000007
【図６】
2010206466.tif 000008
【図７】
2010206466.tif 000009
【図８】
2010206466.tif 000010
【図９】
2010206466.tif 000011
【図１０】
2010206466.tif 000012